(57)【要約】【課題】高い位置の枝に刈刃が噛み込んでモータが停止した場合であっても容易に作業を再開させることができるロングヘッジトリマを提供する。【解決手段】モータ４を備えた本体部１と、該本体部１から前方に延びる柄部２と、該柄部２の前側に設けられ、刈刃５を取り付けるための刃取付部３と、該刃取付部３に取り付けられた刈刃５とを備えたロングヘッジトリマであって、本体部１に、停止状態のモータ４を手動で回転させるための手回し機構を備えており、モータ４は前後方向に沿って配置され、モータ４の後側に手回し機構が配置されている。【選択図】図６
2018014945.tif 000002
【特許請求の範囲】
【請求項１】
モータを備えた本体部と、該本体部から前方に延びる柄部と、該柄部の前側に設けられ、刈刃を取り付けるための刃取付部と、該刃取付部に取り付けられた刈刃とを備えたロングヘッジトリマであって、
本体部に、停止状態のモータを手動で回転させるための手回し機構を備えていることを特徴とするロングヘッジトリマ。
【請求項２】
モータは前後方向に沿って配置され、モータの後側に手回し機構が配置されている請求項１記載のロングヘッジトリマ。
【請求項３】
本体部は本体ハウジングを備え、該本体ハウジングにモータが収容されており、本体ハウジングには、モータの後側の位置に、モータの中心線と直交する壁面部が設けられ、該壁面部に、手回し用の摘みが設けられている請求項２記載のロングヘッジトリマ。
【請求項４】
本体部は、モータの前側にモータの回転を減速するための減速機構を備えており、柄部の中心線に対してモータの中心線が下方にオフセットされており、該モータのオフセット配置に対応して本体ハウジングには下方に膨出した膨出部が形成され、該膨出部の後壁面部に手回し用の摘みが設けられている請求項３記載のロングヘッジトリマ。
【発明の詳細な説明】
【技術分野】
【０００１】
本発明は、高い位置の枝葉の刈り込み作業に適したロングヘッジトリマに関する。
【背景技術】
【０００２】
下記特許文献１〜３に記載のような手元から刈刃までの寸法が長いロングタイプのヘッジトリマは、手が届かない高い位置の枝葉を剪定する作業に適している。その反面、高い位置の枝に刈刃が噛み込んでモータが停止すると、例えば脚立を用意して、その脚立に登って刈刃が噛み込んだ枝を切断するという作業が必要であり、作業性が著しく悪化する。
【先行技術文献】
【特許文献】
【０００３】
【特許文献１】特開２０１０−１１７０２８号公報
【特許文献２】特開２０１１−２３９６９９号公報
【特許文献３】特開２０１３−１９８９４０号公報
【発明の概要】
【発明が解決しようとする課題】
【０００４】
それゆえに本発明は上記従来の問題点に鑑みてなされ、高い位置の枝に刈刃が噛み込んでモータが停止した場合に容易に作業を再開させることができるロングヘッジトリマを提供することを課題とする。
【課題を解決するための手段】
【０００５】
本発明は上記課題を解決すべくなされたものであって、本発明に係るロングヘッジトリマは、モータを備えた本体部と、該本体部から前方に延びる柄部と、該柄部の前側に設けられ、刈刃を取り付けるための刃取付部と、該刃取付部に取り付けられた刈刃とを備えたロングヘッジトリマであって、本体部に、停止状態のモータを手動で回転させるための手回し機構を備えていることを特徴とする。
【０００６】
該構成のロングヘッジトリマにあっては、手元部分である本体部に手回し機構を備えている。そのため、高い枝葉の刈り込み作業中に刈刃が太い枝に噛み込んでモータが停止した場合には、手元の手回し機構を操作してモータを手動で回転させて刈刃の噛み込みを解消することができる。
【０００７】
特に、モータは前後方向に沿って配置され、モータの後側に手回し機構が配置されていることが好ましい。モータを前後方向に沿って配置することで、モータを上下方向に配置する構成に比して、本体部の上下方向の寸法を抑制でき、本体部を全体として前後方向に長い形状とすることができ、本体部を容易に把持することができる。そして、モータの後側に手回し機構が配置されていると、前側に配置されている構成に比して手元側から容易に手回し機構を操作でき、復旧作業が容易である。
【０００８】
更に、本体部は本体ハウジングを備え、該本体ハウジングにモータが収容されており、本体ハウジングには、モータの後側の位置に、モータの中心線と直交する壁面部が設けられ、該壁面部に、手回し用の摘みが設けられていることが好ましい。このように本体ハウジングにおいてモータの後側に位置する壁面部に手回し用の摘みが設けられていると、その手回し用の摘みを手前側、即ち後側から容易に操作することができる。従って、例えば、本体部や柄部を一方の手で把持しながら、他方の手で素早く手回し用の摘みを操作することができ、操作性に優れていて、直ちに作業を再開できる。
【０００９】
また更に、本体部は、モータの前側にモータの回転を減速するための減速機構を備えており、柄部の中心線に対してモータの中心線が下方にオフセットされており、該モータのオフセット配置に対応して本体ハウジングには下方に膨出した膨出部が形成され、該膨出部の後壁面部に手回し用の摘みが設けられていることが好ましい。モータをオフセット配置することで、モータの回転を減速するための減速機構の配置が容易になる。そして、膨出部の後壁面部に手回し用の摘みを設けることで、手回し用の摘みを後側から容易に操作できる。
【発明の効果】
【００１０】
以上のように、手元部分である本体部に手回し機構が設けられているので、高い位置の枝に刈刃が噛み込んでモータが停止した場合であっても手回し機構を操作することで容易に作業を再開させることができ、作業効率の低下を防止できる。
【図面の簡単な説明】
【００１１】
【図１】本発明の一実施形態におけるロングヘッジトリマを右側面から見た正面図。
【図２】同ロングヘッジトリマの平面図。
【図３】同ロングヘッジトリマの底面図。
【図４】同ロングヘッジトリマの手元側の部分を縦方向に切断した断面図。
【図５】同ロングヘッジトリマの先側の部分を縦方向に切断した断面図。
【図６】同ロングヘッジトリマの手元側の部分を斜め下方から見た斜視図。
【図７】同ロングヘッジトリマの手元側の部分を右側面から見た正面図。
【図８】図７のＡ−Ａ断面図。
【図９】図８に対応した断面図であって、（ａ）は通常時、（ｂ）は手回し時を示す。
【図１０】図７のＢ−Ｂ断面図であって、手回し時の状態を示す。
【発明を実施するための形態】
【００１２】
以下、本発明の一実施形態にかかるロングヘッジトリマについて図１乃至図１０を参酌しつつ説明する。本実施形態におけるロングヘッジトリマは、モータ４を備えた本体部１と、該本体部１から前方に延びる柄部２と、該柄部２の前側に設けられ、刈刃５を取り付けるための刃取付部３と、該刃取付部３に取り付けられた刈刃５とを備えている。以下、詳細に説明する。尚、先端側を前側とし、手元側を後側とする。
【００１３】
本実施形態におけるロングヘッジトリマは、充電式であって、図示しないバッテリパックを装着する構成となっている。そのため、バッテリパックを装着するためのバッテリ装着部６を本体部１の後端部に備えている。即ち、ロングヘッジトリマの後端部にバッテリパックが装着される。バッテリパックの装着方向は前後方向に対して直交する方向であってもよいが、本実施形態では、その直交する方向に対して所定角度傾斜している。また、バッテリ装着部６の取付面は、後方に向いていると共に斜め下方を向いている。従って、バッテリパックは、図４に矢印Ｐで取り付け方向を示しているように、斜め上方且つ後方から斜め下方且つ前方に向けてバッテリ装着部６にスライドさせて装着される。
【００１４】
尚、図１に二点鎖線でストラップ６０を示しているが、バッテリ装着部６の下端部には、ストラップ６０を取り付けるためのストラップ取付部６ａが設けられている。このようにストラップ６０を取り付けると、ロングヘッジトリマを収納しておく際に、ストラップ６０によってロングヘッジトリマを例えば壁等に引っ掛けて吊り下げておくことができる。尚、ストラップ取付部６ａの位置はバッテリ装着部６の下端部には限られず、その他の箇所であってもよく、例えばバッテリ装着部６の上端部であってもよい。
【００１５】
本体部１は、本体ハウジング１０を備えており、該本体ハウジング１０にモータ４が収容されている。本体ハウジング１０は左右二つ割の構成である。尚、バッテリ装着部６も本体ハウジング１０に設けられている。本体ハウジング１０は、最後部のバッテリ装着部６を除いて全体として筒状となっている。モータ４は、本体ハウジング１０の前部に収容されており、バッテリ装着部６とモータ４との間には、作動スイッチ１１が配置されている。該作動スイッチ１１は本体ハウジング１０の上面に設けられており、ＯＮ状態とするとモータ４が作動し、ＯＦＦ状態とするとモータ４が停止する。
【００１６】
本体ハウジング１０の前部にはモータ４を収容するためのモータ収容部が設けられている。具体的には、モータ４は、前後方向に沿って配置されており、モータ４の中心線は本体ハウジング１０の中心線や柄部２の中心線と平行であるが、それらに対して下方にオフセットされている。該モータ４の下方へのオフセット配置に対応して、本体ハウジング１０の前部の下部には、下方に膨出した膨出部１２が形成されており、該膨出部１２がモータ収容部を構成している。膨出部１２は断面視半円の筒状であって、その膨出部１２の後端面である後壁面部１２ａはモータ４の中心線に対して直交している。
【００１７】
モータ４の後側には、モータ４が停止した際にそのモータ４を手動で回転させるための手回し機構が設けられている。モータ４の主軸７の後端部には、外周面の全周のうち１８０度対向した二箇所がＤカットされた断面視非円形状の係合雄部１３ａを有する係合部材１３が装着されている。該係合部材１３の係合雄部１３ａはモータ４の主軸７と同軸上にあって後側に向けて突出している。膨出部１２の後壁面部１２ａには、手回し用の摘み１４が配置されており、該手回し用の摘み１４は前後方向の軸線回りに回転する構成であって、モータ４と同軸上に位置している。該手回し用の摘み１４の前端面には、係合雄部１３ａが前後方向に係入可能な係合雌部１４ａが凹設されている。即ち、係合雌部１４ａの孔の断面形状は、係合雄部１３ａの形状に対応した形状となっている。また、膨出部１２の後壁面部１２ａには手回し用の摘み１４を後側に付勢するための付勢手段としてのコイルバネ１５が内装されている。図９（ａ）のようにコイルバネ１５によって手回し用の摘み１４は常時は係合部材１３から後方に離間した状態にあって、手回し用の摘み１４の係合雌部１４ａは係合部材１３の係合雄部１３ａから後方に離間していて互いに係合していない状態にある。従って、その状態で手回し用の摘み１４を回転操作すると、手回し用の摘み１４のみが空転してモータ４を手動で回転させることはできない。一方、モータ４が停止している状態において、図９（ｂ）のように手回し用の摘み１４をコイルバネ１５の付勢力に抗して前側に押して係合部材１３の係合雄部１３ａに手回し用の摘み１４の係合雌部１４ａを係合させると、手回し用の摘み１４を回転させることによってモータ４の主軸７を回転させることができる。手回し用の摘み１４から手を離すと、図９（ａ）のように手回し用の摘み１４はコイルバネ１５に押されて自動的に係合部材１３から後方に離間して元の状態に戻る。本実施形態において、手回し用の摘み１４、コイルバネ１５、及び、係合部材１３が手回し機構を構成している。
【００１８】
本体ハウジング１０の下部であって膨出部１２の後側の位置には、局所的に上方に向けて凹んだ窪み部１６が形成されており、該窪み部１６の前側の壁面は膨出部１２の後壁面部１２ａとなっている。窪み部１６の後側の壁面１６ａは垂直面ではなく後側に向けて傾斜した傾斜面となっている。本体ハウジング１０の上面は高さ一定であって中心線と平行であり、従って、窪み部１６において本体ハウジング１０の上下方向の寸法は局所的に小さくなっている。また、窪み部１６の左右側縁部には、ガード壁１７がそれぞれ形成されている。該ガード壁１７は、前後方向に沿った面であって、左右一対のガード壁１７は互いに平行であって対峙している。ガード壁１７は、窪み部１６の側方のうち上部を覆うように形成されており、その下端縁は前側ほど下側に向かうように傾斜している。
【００１９】
モータ４の前側には減速機構２０が設けられている。該減速機構２０は、膨出部１２の前部からその上側の部分にかけて収容されている。減速機構２０にプロペラシャフト２１の後端部が接続されている。該プロペラシャフト２１は、モータ４の駆動力を刈刃５に伝達するための駆動伝達部材であり、モータ４の回転は減速機構２０によって減速された後、プロペラシャフト２１に伝達され、プロペラシャフト２１を前後方向の軸線回りに回転させる。膨出部１２の前側には筒状の接続部１８が形成されており、該接続部１８で本体ハウジング１０は柄部２と接続されている。
【００２０】
柄部２は、前後方向の軸線を有する直管であるパイプ２２を有しており、該パイプ２２をプロペラシャフト２１が挿通している。パイプ２２は、合成樹脂製や金属製としてよい。パイプ２２の後端部は本体ハウジング１０の接続部１８に挿入されて固定されている。パイプ２２の外周面には筒状のグリップ２３が装着されている。該グリップ２３は例えば発泡ＥＶＡから構成される。
【００２１】
柄部２の前側にはヘッド部８が設けられている。該ヘッド部８は、ヘッドハウジング３０を有しており、該ヘッドハウジング３０にはモータ４の回転を前後方向の往復運動に変換する変換機構３１が収容されている。尚、ヘッドハウジング３０も本体ハウジング１０と同様に左右二つ割の構成である。ヘッドハウジング３０の後端部は筒状の接続部３２とされていて、その接続部３２に柄部２のパイプ２２の前端部が挿入されて固定されている。変換機構３１の下端部に刈刃５の基端部が交換可能に取り付けられている。尚、刈刃５は、図３及び図５に示すようにネジ３３によって取り付け、取り外しが可能である。このようにヘッド部８の下部が、刈刃５を取り付けるための刃取付部３を構成している。柄部２のパイプ２２を挿通しているプロペラシャフト２１の前端部が変換機構３１に接続されており、モータ４の回転はプロペラシャフト２１を介して変換機構３１に伝達され、変換機構３１で前後方向の往復運動に変換されて刈刃５に伝達され、その結果、刈刃５が前後方向に往復動することになる。
【００２２】
刈刃５は、相対的に往復動可能に設けられた上下二枚の刃である上刃と下刃から構成されている。具体的には、刈刃５は、固定刃と可動刃とから構成されて可動刃を固定刃に対して前後に往復運動させる構成とされたり、あるいは、二枚の可動刃から構成されて各可動刃を前後方向に互いに反対方向に往復運動させる構成とされたりする。
【００２３】
以上のように構成されたロングヘッジトリマにあっては、本体部１の前側に長尺状の柄部２が設けられていてその柄部２の前側に位置するヘッド部８から刈刃５が更に前方に延びている構成であるので、高い位置の枝葉であっても容易に刈り込むことができる。刈り込み作業においては、例えば本体部１と柄部２を把持することができる。そして、刈り込み作業中に太い枝に刈刃５が噛み込んでモータ４への負荷が過度に大きくなると、モータ４を制御する制御部がそれを検知して自動的にモータ４を停止させる。モータ４が停止することで刈刃５も停止し、枝に刈刃５が噛み込んだままの状態となる。このようにモータ４が停止した状態には手回し機構を用いる。即ち、手回し用の摘み１４を前側に押してスライドさせて、手回し用の摘み１４の係合雌部１４ａに係合部材１３の係合雄部１３ａを係合させる。尚、手回し用の摘み１４の係合雌部１４ａと係合部材１３の係合雄部１３ａとの周方向の位相がずれている場合には、手回し用の摘み１４を前側に押しても直ちには係合しないが、その場合には、係合するまで手回し用の摘み１４を前側に押しつつ回転（空転）させる。そして、手回し用の摘み１４の係合雌部１４ａが係合部材１３の係合雄部１３ａに係合した状態で手回し用の摘み１４を回転させることで、モータ４を手動で回転させることができ、減速機構２０、プロペラシャフト２１及び変換機構３１を介して刈刃５を前後に動かすことができる。従って、枝に噛み込んだ刈刃５を枝から解放させることができる。枝への噛み込みが解消された後は、再び刈り込み作業を再開することができる。
【００２４】
このように手元部分に手回し機構を設けているので、高い位置の枝に刈刃５が噛み込んでモータ４が停止した場合であっても、素早く刈り込み作業を再開させることができ、作業効率の低下を防止することができる。特に、手回し機構がモータ４の前側ではなく後側に配置されているので、手元側から容易に手回し機構を操作できて復旧作業が容易である。
【００２５】
また、膨出部１２の後壁面部１２ａに手回し用の摘み１４が設けられているので、例えば、本体部１を一方の手で把持しながら、他方の手で素早く手回し用の摘み１４を操作してモータ４を回転させて噛み込み状態を解消することができる。従って、素早く刈り込み作業を再開できて作業効率の低下を最小限に抑えることができる。
【００２６】
更に、膨出部１２の後側にはガード壁１７が下方に向けて突設されているので、通常作業時において手回し用の摘み１４に不用意に手が当たったりすることが防止されて、誤動作を防止することができる。また、ガード壁１７を設けることにより、手回し用の摘み１４に他の物体が当たったりすることも防止される。更に、手回し用の摘み１４と後壁面部１２ａとの間の隙間からゴミが内部に進入したりすることもガード壁１７によって防止される。尚、ガード壁１７が左右一対形成されている一方で、左右のガード壁１７の間は下方に開口した形状となっているので、ガード壁１７を設けていても、手回し用の摘み１４の操作は容易である。
【００２７】
尚、本実施形態では、柄部２の前側にヘッド部８を備え、そのヘッド部８に変換機構３１を備えていたが、変換機構３１が本体部１に備えられた構成であってもよい。その場合、柄部２のパイプ２２を挿通する駆動伝達部材は、プロペラシャフト２１ではなく、前後に往復する構成となる。また、手回し用の摘み１４に係合雌部１４ａを設け、係合部材１３には係合雄部１３ａを設けたが、逆の構成であってもよい。また更に、上記実施形態ではバッテリパックが装着される充電式の構成について説明したが、充電式ではなく、電源コードを有する構成であってもよい。
【符号の説明】
【００２８】
１    本体部
２    柄部
３    刃取付部
４    モータ
５    刈刃
６    バッテリ装着部
６ａ  ストラップ取付部
７    主軸
８    ヘッド部
１０    本体ハウジング
１１    作動スイッチ
１２    膨出部
１２ａ  後壁面部
１３    係合部材（手回し機構）
１３ａ  係合雄部
１４    手回し用の摘み（手回し機構）
１４ａ  係合雌部
１５    コイルバネ（手回し機構）
１６    窪み部
１６ａ  窪み部の後側の壁面
１７    ガード壁
１８    接続部
２０    減速機構
２１    プロペラシャフト
２２    パイプ
２３    グリップ
３０    ヘッドハウジング
３１    変換機構
３２    接続部
３３    ネジ
６０    ストラップ
【図１】
2018014945.tif 000003
【図２】
2018014945.tif 000004
【図３】
2018014945.tif 000005
【図４】
2018014945.tif 000006
【図５】
2018014945.tif 000007
【図６】
2018014945.tif 000008
【図７】
2018014945.tif 000009
【図８】
2018014945.tif 000010
【図９】
2018014945.tif 000011
【図１０】
2018014945.tif 000012